(57)【要約】      （修正有）【課題】ユーザが片手で携帯電話を取り外し又は載置可能なクランプ装置を提供する。【解決手段】ハウジング１と、第一挟持アーム２と、第二挟持アーム３と、縦方向支持アーム４と、二つの歯車と、弾性部材と、を有し、第一挟持アーム２と第二挟持アーム３はハウジング１に取り付けられると共に互いに接離可能であり、第一挟持アームは第一ラックを有し、第二挟持アームは第二ラックを有し、縦方向支持アーム４は、ハウジング１に取り付けられると共に縦方向に移動可能であり、両側にそれぞれ左側ラックと右側ラックを有し、二つの歯車はハウジングに取り付けられ、左側ラックは一つの歯車を介して第一ラックと噛合し、右側ラックは他の歯車を介して第二ラックと噛合し、縦方向支持アームが下方へ移動する場合、第一挟持アームと第二挟持アームは互いに離隔するように移動し、弾性部材は、ハウジング内に設置されると共に縦方向支持アームに連結されることで、縦方向支持アームに対して上方へ復帰するような付勢力を付与する。【選択図】図１
0003216611.tif 000002
【実用新案登録請求の範囲】
【請求項１】
ハウジングと、
第一挟持アームと、
第二挟持アームと、
縦方向支持アームと、
二つの歯車と、
弾性部材と、を有し、
前記第一挟持アームと前記第二挟持アームは前記ハウジングに取り付けられると共に互いに接離可能であり、前記第一挟持アームは第一ラックを有し、前記第二挟持アームは第二ラックを有し、
前記縦方向支持アームは、前記ハウジングに取り付けられると共に縦方向に移動可能であり、両側にそれぞれ左側ラックと右側ラックを有し、
前記二つの歯車は前記ハウジングに取り付けられ、前記左側ラックは一つの前記歯車を介して前記第一ラックと噛合し、前記右側ラックは他の前記歯車を介して前記第二ラックと噛合し、
前記縦方向支持アームが下方へ移動する場合、前記第一挟持アームと前記第二挟持アームは互いに離隔するように移動し、
前記弾性部材は、前記ハウジング内に設置されると共に前記縦方向支持アームに連結されることで、前記縦方向支持アームに対して上方へ復帰するような付勢力を付与する
ことを特徴とするクランプ装置。
【請求項２】
前記第一挟持アームはＬ形を呈し、その一部が前記ハウジング内に位置し、前記第一挟持アームは第一ガイド溝を更に有し、前記第一ラックと前記第一ガイド溝の配置方向は何れも前記第一挟持アームの移動方向と同一であり、
前記ハウジング内には第一ガイド柱を有し、前記第一ガイド柱が前記第一ガイド溝内に位置することで、前記第一挟持アームを前記ハウジングから分離できないように横方向のみに移動可能にする
ことを特徴とする請求項１に記載のクランプ装置。
【請求項３】
前記第二挟持アームはＬ形を呈し、その一部が前記ハウジング内に位置し、前記第二挟持アームは第二ガイド溝を更に有し、前記第二ラックと前記第二ガイド溝の配置方向は何れも前記第二挟持アームの移動方向と同一であり、
前記ハウジング内には第二ガイド柱を有し、前記第二ガイド柱が取り付けられる際に前記第二ガイド溝内に位置することで、前記第二挟持アームを前記ハウジングから分離できないように横方向のみに移動可能にする
ことを特徴とする請求項１に記載のクランプ装置。
【請求項４】
前記縦方向支持アームは左サブアームと、右サブアームと、ジャケットと、受け部材とを有し、前記左サブアームと前記右サブアームが前記ジャケットの頂部において接合されることで、これら全体がＹ形を呈し、
前記左側ラックは前記左サブアームに位置し、前記左サブアームは左縦方向ガイド溝を更に有し、前記右側ラックは前記右サブアームに位置し、前記右サブアームは右縦方向ガイド溝を更に有し、
前記左側ラック、前記左縦方向ガイド溝、前記右側ラック、前記右縦方向ガイド溝の配置方向は何れも前記縦方向支持アームの縦方向移動方向と同一であり、
前記ハウジング内には左ガイドブロックと右ガイドブロックを有し、前記左ガイドブロックが前記左縦方向ガイド溝内に位置し、前記右ガイドブロックが前記右縦方向ガイド溝内に位置することで、前記縦方向支持アームを前記ハウジングから分離できないように縦方向のみに移動可能にする
ことを特徴とする請求項１に記載のクランプ装置。
【請求項５】
前記受け部材は携帯電話を受け可能であり、前記ジャケットと前記受け部材は位置調整できないように互いに接合される
ことを特徴とする請求項４に記載のクランプ装置。
【請求項６】
前記受け部材は携帯電話を受け可能であり、前記ジャケットは縦方向視において中空構造を呈し、前記受け部材の一部が前記ジャケット内に挿入可能であることで、前記受け部材を位置調整が可能となるように前記ジャケットに沿って縦方向に移動可能にする
ことを特徴とする請求項４に記載のクランプ装置。
【請求項７】
前記弾性部材は引張バネであり、両側にリング構造を有し、前記ハウジング内の所定位置には凸柱を有し、前記縦方向支持アームの所定位置には位置決め柱を有し、前記弾性部材の両端がそれぞれ前記凸柱と前記位置決め柱に固定される
ことを特徴とする請求項１に記載のクランプ装置。
【請求項８】
ワイヤレス充電モジュールを更に有し、前記ワイヤレス充電モジュールは前記ハウジング内に取り付けられ、前記ハウジングは載置面を有し、前記載置面は携帯電話の載置箇所であり、前記ワイヤレス充電モジュールの取り付けが完成する際に、前記ワイヤレス充電モジュールは前記ハウジングの裏壁側における前記載置面に位置する
ことを特徴とする請求項１に記載のクランプ装置。
【考案の詳細な説明】
【技術分野】
【０００１】
本考案は、クランプ装置に関するものであり、特に携帯電話固定用のクランプ構造に関するものである。
【背景技術】
【０００２】
携帯電話用のクランプ装置は広く使われ、一般的に、その構造は、二つの挟持アームの同期移動により携帯電話を挟むもの、又は一つの挟持アームが固定であると共に他の挟持アームが移動可能であることにより挟むものが存在し、その動作方法として、クランプとリリースの二つの動作が存在する。現在において、一つの動作がバネにより補助的に実現する構造が存在するものの、手動でリリースボタンを押す必要がある。例えば、携帯電話を挟む場合、まずユーザは手動で二つの挟持アームを押して移動させ、それらが所定位置に移動すると自動的に挟むようになり、挟む効果を奏する。
【考案の概要】
【考案が解決しようとする課題】
【０００３】
しかし、上記構造では、引き続きのリリース動作として、前記バネで二つの挟持アームを離隔するような付勢力を付与することができるものの、手動でリリースボタンを押さない限り自動的に離隔することができない。また、前記のことからみると、使用において不便である。
そこで、本考案は操作においてより便利かつ素早い新規な構造を提案するものである。
本考案は、クランプ装置を提供することを主な目的とし、特に、ユーザが片手かつ簡単な操作で、携帯電話を前記クランプ装置から取り外し又は前記クランプ装置に載置して挟むことができ、操作においてより便利かつ素早いクランプ装置を提供することを目的とするものである。
【課題を解決するための手段】
【０００４】
上記目的を達成するために、本考案のクランプ装置は、ハウジングと、第一挟持アームと、第二挟持アームと、縦方向支持アームと、二つの歯車と、弾性部材と、を有し、前記第一挟持アームと前記第二挟持アームは前記ハウジングに取り付けられると共に互いに接離可能であり、前記第一挟持アームは第一ラックを有し、前記第二挟持アームは第二ラックを有し、前記縦方向支持アームは、前記ハウジングに取り付けられると共に縦方向に移動可能であり、両側にそれぞれ左側ラックと右側ラックを有し、前記二つの歯車は前記ハウジングに取り付けられ、前記左側ラックは一つの前記歯車を介して前記第一ラックと噛合し、前記右側ラックは他の前記歯車を介して前記第二ラックと噛合し、前記縦方向支持アームが下方へ移動する場合、前記第一挟持アームと前記第二挟持アームは互いに離隔するように移動し、前記弾性部材は、前記ハウジング内に設置されると共に前記縦方向支持アームに連結されることで、前記縦方向支持アームに対して上方へ復帰するような付勢力を付与する。
【０００５】
本考案の使用において、ユーザが携帯電話を傾斜状態で前記縦方向支持アームを押すことで前記縦方向支持アームを降下させると共に、二つの前記歯車の連動を介して前記第一挟持アームと第二挟持アームを互いに離隔させる。次に、携帯電話を前記第一挟持アームと第二挟持アームとの間に載置して、前記弾性部材の弾力により前記縦方向支持アームを上昇させることで、前記第一挟持アームと前記第二挟持アームに対して前記携帯電話の両側を挟ませることにより、携帯電話を固定する。同様に、携帯電話を取り外ししようとする場合、まず縦方向支持アームを押して降下させ、前記第一挟持アームと前記第二挟持アームを離隔することで携帯電話を取り外し可能となる。これらの操作は全部片手で操作可能であり、リリースボタンを押す必要がなくなり、操作においては便利で素早くかつ容易である。
【０００６】
本考案の実施例において、前記第一挟持アームはＬ形を呈し、その一部が前記ハウジング内に位置し、前記第一挟持アームは第一ガイド溝を更に有し、前記第一ラックと前記第一ガイド溝の配置方向は何れも前記第一挟持アームの移動方向と同一であり、前記ハウジング内には第一ガイド柱を有し、前記第一ガイド柱が前記第一ガイド溝内に位置することで、前記第一挟持アームを前記ハウジングから分離できないように横方向のみに移動可能にする。
【０００７】
本考案の実施例において、前記第二挟持アームはＬ形を呈し、その一部が前記ハウジング内に位置し、前記第二挟持アームは第二ガイド溝を更に有し、前記第二ラックと前記第二ガイド溝の配置方向は何れも前記第二挟持アームの移動方向と同一であり、前記ハウジング内には第二ガイド柱を有し、前記第二ガイド柱が取り付けられる際に前記第二ガイド溝内に位置することで、前記第二挟持アームを前記ハウジングから分離できないように横方向のみに移動可能にする。
【０００８】
本考案の実施例において、前記縦方向支持アームは左サブアームと、右サブアームと、ジャケットと、受け部材とを有し、前記左サブアームと前記右サブアームが前記ジャケットの頂部において接合されることで、これら全体がＹ形を呈し、前記左側ラックは前記左サブアームに位置し、前記左サブアームは左縦方向ガイド溝を更に有し、前記右側ラックは前記右サブアームに位置し、前記右サブアームは右縦方向ガイド溝を更に有し、前記左側ラック、前記左縦方向ガイド溝、前記右側ラック、前記右縦方向ガイド溝の配置方向は何れも前記縦方向支持アームの縦方向移動方向と同一であり、前記ハウジング内には左ガイドブロックと右ガイドブロックを有し、前記左ガイドブロックが前記左縦方向ガイド溝内に位置し、前記右ガイドブロックが前記右縦方向ガイド溝内に位置することで、前記縦方向支持アームを前記ハウジングから分離できないように縦方向のみに移動可能にする。
【０００９】
本考案の実施例において、前記受け部材は携帯電話を受け可能であり、前記ジャケットは縦方向視において中空構造を呈し、前記受け部材の一部が前記ジャケット内に挿入可能であることで、前記受け部材を位置調整が可能となるように前記ジャケットに沿って縦方向に移動可能にする。受け部材の位置が変動すると、前記第一挟持アームと第二挟持アームにおける前記携帯電話の両側の挟む位置を調整することが可能となり、挟む際における携帯電話の側ボタンの誤操作を防止することができる。
【００１０】
本考案の実施例において、ワイヤレス充電モジュールを更に有し、前記ワイヤレス充電モジュールは前記ハウジング内に取り付けられ、前記ハウジングは載置面を有し、前記載置面は携帯電話の載置箇所であり、前記ワイヤレス充電モジュールの取り付けが完成する際に、前記ワイヤレス充電モジュールは前記ハウジングの裏壁側における前記載置面に位置する。
【図面の簡単な説明】
【００１１】
【図１】本考案のクランプ装置の一実施形態の斜視図である。
【図２】本考案の内部構造を示す図である。
【図３】本考案の分解図である。
【図４】本考案の使用初期状態の斜視図である。
【図５】本考案の使用状態図であって、携帯電話がクランプ装置に載置される前の状態図である。
【図６】本考案の使用状態図であって、携帯電話が挟みされ固定される状態図である。
【考案を実施するための形態】
【００１２】
以下では、図面を参照しながら、本考案の他の目的や機能について、当業者が理解できるよう説明する。
【００１３】
図１、２、３はそれぞれ本考案のクランプ装置の一実施形態の斜視図、内部構造を示す図、分解図である。本考案のクランプ装置は、ハウジング１と、第一挟持アーム２と、第二挟持アーム３と、縦方向支持アーム４と、二つの歯車５１、５２と、弾性部材６と、を有する。
【００１４】
前記ハウジング１はフロントハウジング１１とバックハウジング１２が互いに固着してからなる中空ハウジングである。前記第一挟持アーム２と前記第二挟持アーム３は前記ハウジング１に取り付けられることが可能であり、アーム同士は互いに接離するように横方向に移動可能であるものの、前記ハウジング１から分離することができない。前記縦方向支持アーム４も前記ハウジング１に取り付けられ、縦方向に移動可能であるものの、前記ハウジング１から分離することもできない。
【００１５】
前記第一挟持アーム２はＬ形を呈し、その一部が前記ハウジング１内に位置し、本実施例では、前記一部は第一横方向部２０であり、前記第一挟持アーム２は第一ラック２１と第一ガイド溝２２を更に有し、前記第一ラック２１と第一ガイド溝２２は前記第一横方向部２０に位置し、前記第一ラック２１と前記第一ガイド溝２２の配置方向は何れも前記第一挟持アーム２の移動方向と同一である。前記フロントハウジング１１内には第一ガイド柱（図示せず）を有し、前記第一ガイド柱が取り付けられる際に前記第一ガイド溝２２内に位置することで、前記第一挟持アーム２を前記ハウジング１から分離できないように横方向のみに移動可能である。
【００１６】
前記第二挟持アーム３はＬ形を呈し、その一部が前記ハウジング１内に位置し、本実施例では、前記一部は第二横方向部３０であり、前記第二挟持アーム３は第二ラック３１と第二ガイド溝３２を更に有し、前記第二ラック３１と第二ガイド溝３２は前記第二横方向部３０に位置し、前記第二ラック３１と前記第二ガイド溝３２の配置方向は何れも前記第二挟持アーム３の移動方向と同一である。前記フロントハウジング１１内には第二ガイド柱１１１を有し、前記第二ガイド柱１１１が取り付けられる際に前記第二ガイド溝３２内に位置することで、前記第二挟持アーム３を前記ハウジング１から分離できないように横方向のみに移動可能である。
【００１７】
前記歯車５１、５２は前記ハウジング１内に取り付けられる。これらの取り付けが完成する際に、前記歯車５１は前記第一ラック２１と噛合し、前記歯車５２は前記第二ラック３１と噛合する。
【００１８】
前記弾性部材６は引張バネであり、両側にリング構造を有する。前記バックハウジング１２の所定位置には凸柱１２３を有し、前記縦方向支持アーム４も所定位置には位置決め柱４０を有する。これらの取り付けが完成する際に、前記弾性部材６の両端がそれぞれ前記凸柱１２３と前記位置決め柱４０に固定される。なお、ユーザからの力が前記弾性部材６の弾力より大きいことにより、前記縦方向支持アーム４を下方へ移動させる。また、前記弾性部材６の弾力は携帯電話の重量より大きい必要がある。これにより、携帯電話が縦方向支持アーム４に載置される場合、前記弾性部材６は前記縦方向支持アーム４に対して上方へ移動するような付勢力を付与することが可能であり、また、外力が存在しない場合、前記弾性部材６も前記縦方向支持アーム４を初期位置（即ち最も高い位置）に復帰するように上昇させる。
【００１９】
前記縦方向支持アーム４は、左サブアーム４１と、右サブアーム４２と、ジャケット４３と、受け部材４４とを有する。前記左サブアーム４１と前記右サブアーム４２が前記ジャケット４３の頂部において接合されることで、これら全体はＹ形を呈する。前記左サブアーム４１には左側ラック４１１と左縦方向ガイド溝４１２を有し、前記左側ラック４１１と左縦方向ガイド溝４１２の配置方向は何れも前記縦方向支持アーム４の縦方向移動方向と同一である。なお、前記バックハウジング１２内には左ガイドブロック１２１と右ガイドブロック１２２を有する。これらの取り付けが完成する際に、前記左ガイドブロック１２１は前記左縦方向ガイド溝４１２内に位置する。
【００２０】
前記右サブアーム４２には右側ラック４２１と右縦方向ガイド溝４２２を有し、前記右側ラック４２１と右縦方向ガイド溝４２２の配置方向は何れも前記縦方向支持アーム４の縦方向移動方向と同一である。これらの取り付けが完成する際に、前記右ガイドブロック１２２は前記右縦方向ガイド溝４２２内に位置する。これにより、前記縦方向支持アーム４を前記ハウジング１から分離できないように縦方向に移動可能にする。なお、前記左側ラック４１１が前記歯車５１と噛合すると共に前記右側ラック４２１が前記歯車５２と噛合するため、前記縦方向支持アーム４が下方へ移動する場合、前記歯車５１も前記第一ラック２１と噛合すると共に前記歯車５２も前記第二ラック３１と噛合し連動することとなるので、前記第一挟持アーム２と第二挟持アーム３を互いに離隔する方向へ移動させる。
【００２１】
前記受け部材４４は主に携帯電話を受けるためのものであり、本考案が固定サイズの携帯電話に適用される場合、前記ジャケット４３と受け部材４４両者の位置調整は不要となり、また、この構造は固定タイプであってもよく、一体成形であってもよい。しかしながら、本考案の適用範囲を拡大するため、本実施例において、前記ジャケット４３は縦方向視において中空構造を呈し、前記受け部材４４の一部は前記ジャケット４３内に挿入可能であり、両者の間に内部に弾性係止構造を有し、ユーザがリリースボタンを押すことにより、前記受け部材４４をその縦方向位置調整が可能となるようにジャケット４３に沿って縦方向に移動可能にする。なお、受け部材４４の縦方向の調整機構は公知の機構と類似であってもよく、異なる各種の機構であってもよいため、詳細な説明は省略する。
【００２２】
また、本考案はワイヤレス充電モジュール７を更に有してもよく、前記フロントハウジング１１は載置面１１２を更に有し、前記載置面１１２は携帯電話の載置箇所である。前記ワイヤレス充電モジュール７が取り付けられる際に、前記フロントハウジング１１の裏壁に密着されると共に、前記載置面１１２に対応する位置に位置する。これにより、携帯電話を挟む際に、内部にある前記ワイヤレス充電モジュール７で充電することができる。
【００２３】
次に、本考案の実際の使用方法について説明する。図４に示すように、本考案のクランプ装置は吸着パッド支持ベース８に取り付けられることが可能であり、前記吸着パッド支持ベース８により平坦な表面、例えば、机の表面、車のインストルメントパネルに吸着することができる。初めて使用する際に、ユーザが前記受け部材４４を引いて、携帯電話の縦方向サイズに合わせて携帯電話の側ボタンを挟まないように前記第一挟持アーム２と前記第二挟持アーム３の挟む位置を調整すれば、引き続きの再調整は不要となる。図４の状態では、前記第一挟持アーム２と第二挟持アーム３との間の距離が最短である。そして、図５に示すように、ユーザが片手で携帯電話９を所定角度に傾斜させると共に、前記携帯電話９の底部を前記縦方向支持アーム４の受け部材４４へ押すことで、内部にある前記歯車５１と歯車５２の連動により、前記第一挟持アーム２と第二挟持アーム３を互いに離隔させる。第一挟持アーム２と第二挟持アーム３の離隔動作が完成すると、携帯電話９を更に前記ハウジング１の前記載置面１１２へ押す。図６に示すように、外力が消失すると、前記弾性部材６の復帰力により前記縦方向支持アーム４を上方へ移動するように引くと共に、前記第一挟持アーム２と第二挟持アーム３を携帯電話の両側位置を挟ませる。なお、携帯電話９を取り外ししようとする場合、まずユーザは携帯電話９の底部を前記縦方向支持アーム４の受け部材４４へ押す必要があり、そして上記のように、前記第一挟持アーム２と第二挟持アーム３は互いに離隔することとなり、前記携帯電話は取り外し可能となる。
【００２４】
以上をまとめると、本考案のクランプ装置は、ユーザが片手で携帯電話９を持ちながら容易に前記クランプ装置から取り外し又は前記クランプ装置に載置して挟むことができる。公知の構造のようにリリースボタンを押す必要がないため非常に便利である。また、前記弾性部材６の弾力により、挟む状態での前記第一挟持アーム２と第二挟持アーム３の挟持力を維持することができるため、携帯電話９の緩み外れを防止することができる。これにより、本考案は、全体構造が実用性と新規性、進歩性を有するものであることから、実用新案の登録要件を満たすものである。
【００２５】
また、上記内容は本考案の好適な実施例を説明するものに過ぎず、本考案を内容的に制限するものではないため、同一の考案精神の前提において、本考案に対する種々の改良や変更は本考案の登録請求の範囲に含まれるべきである。
【符号の説明】
【００２６】
１      ハウジング
１１    フロントハウジング
１１１  第二ガイド柱
１１２  載置面
１２    バックハウジング
１２１  左ガイドブロック
１２２  右ガイドブロック
１２３  凸柱
２      第一挟持アーム
２０    第一横方向部
２１    第一ラック
２２    第一ガイド溝
３      第二挟持アーム
３０    第二横方向部
３１    第二ラック
３２    第二ガイド溝
４      縦方向支持アーム
４０    位置決め柱
４１    左サブアーム
４１１  左側ラック
４１２  左縦方向ガイド溝
４２    右サブアーム
４２１  右側ラック
４２２  右縦方向ガイド溝
４３    ジャケット
４４    受け部材
５１    歯車
５２    歯車
６      弾性部材
７      ワイヤレス充電モジュール
８      吸着パッド支持ベース
９      携帯電話
【図１】
0003216611.tif 000003
【図２】
0003216611.tif 000004
【図３】
0003216611.tif 000005
【図４】
0003216611.tif 000006
【図５】
0003216611.tif 000007
【図６】
0003216611.tif 000008